(57)【要約】【課題】カード決済装置に電源を投入するときには、認証機能がなく、カード決済部のプログラムの動作が開始してしまい、悪意者による実信号による回路解析やプログラム解析ができてしまう。【解決手段】認証部電源とカード決済電源部を互いに独立させ、カード決済装置の操作者がＲＦＩＤカードでの認証を完了しなければ、カード決済電源部が入らないようにする。カード決済装置の起動するための許可をもたない装置操作者は、カード決済装置の起動もできないため、盗難時にも回路解析やプログラム解析が困難となり、カード決済装置の偽造も困難とすることができる。【選択図】図１
2009026027.tif 000002
【特許請求の範囲】
【請求項１】
カードに格納されているカード情報を取り出し、当該取り出したカード情報を情報処理センターに送信し、上記情報処理センターから受信した認証情報に従って上記カードによる決済を実行するカード決済装置において、
所定のＩＤ情報を記憶するカードから当該ＩＤ情報を取り出すリーダライタ部と、
前記リーダライタ部に電力を供給するリーダライタ電源部と、
上記カード情報による上記決済を実行する決済部と、
前記決済部に電力を供給する決済電源部と、
前記リーダライタ電源部のための電源スイッチと、
所定のＩＤ情報を記憶する起動用ＩＤ記憶部と、
上記取り出されたＩＤ情報を前記起動用ＩＤ記憶手段に格納されている上記ＩＤ情報と照合するＩＤ照合部と、
上記照合された結果に基づいて前記決済電源部の制御を行う決済電源制御部と、
を備え、
前記電源スイッチの作動により前記リーダライタ電源部は前記リーダライタ部に電力を供給し、前記ＩＤ照合部が上記照合を実行して当該照合が一致した場合に、前記決済電源制御部は、前記決済電源部に前記決済部へ電力を供給させることを特徴とするカード決済装置。
【請求項２】
上記カードは、上記ＩＤ情報を記憶するＩＤ記憶部を有し、前記リーダライタ部へ周期的に上記ＩＤ情報を送信することを特徴とする請求項１記載のカード決済装置。
【請求項３】
上記カードは、前記決済部により上記決済が実行された後、当該決済情報を格納する決済情報記憶部を有し、更に、上記決済情報を前記リーダライタ部により上記カードの決済情報記憶部に格納させる決済処理部を有することを特徴とする請求項１記載のカード決済装置。
【請求項４】
カードに格納されているカード情報を取り出し、当該取り出したカード情報を情報処理センターに送信し、上記情報処理センターから受信した認証情報に従って上記カードによる決済を実行するカード決済装置において、
所定のＩＤ情報を記憶するカードから当該ＩＤ情報を取り出すリーダライタ部と、
前記リーダライタ部に電力を供給するリーダライタ電源部と、
上記カード情報による上記決済を実行する決済部と、
所定のＩＤ情報を記憶する起動用ＩＤ記憶部と、
上記取り出されたＩＤ情報を前記起動用ＩＤ記憶手段に格納されている上記ＩＤ情報と照合するＩＤ照合部と、
上記照合された結果に基づいて前記決済電源部の制御を行う決済電源制御部と、
前記決済部に電力を供給する決済電源部と、を備え、
前記ＩＤ照合部による照合が一致した状態にて、前記決済電源制御部は、前記決済電源部から前記決済部への電力供給を一旦開始し、かつ、前記ＩＤ照合部が周期的に上記ＩＤ情報の照合動作を繰り返し、所定時間内にて上記照合が所定回数不一致の場合、前記決済電源制御部は、前記決済電源部に前記決済部へ電力を供給させることを停止させることを特徴とするカード決済装置。
【請求項５】
上記カードは、上記ＩＤ情報を記憶するＩＤ記憶部を有し、前記リーダライタ部へ周期的に上記ＩＤ情報を送信することを特徴とする請求項４記載のカード決済装置。
【請求項６】
上記カードは、前記決済部により上記決済が実行された後、当該決済情報を格納する決済情報記憶部を有し、更に、上記決済情報を前記リーダライタ部により上記カードの決済情報記憶部に格納させる決済処理部を有することを特徴とする請求項４記載のカード決済装置。
【請求項７】
カードに格納されているカード情報を取り出し、当該取り出したカード情報を情報処理センターに送信し、上記情報処理センターから受信した認証情報に従って上記カードによる決済を行うカード決済装置であって、上記カードから情報を読み取るリーダライタ部と、当該リーダライタ部に電力を供給するリーダライタ電源部と、当該リーダライタ電源部のための電源スイッチ部と、上記カード情報による決済を実行する決済部と、当該決済部に電力を供給する決済電源部と、を備えるカード決済装置において、
前記電源スイッチの作動により前記リーダライタ部に前記リーダライタ電源部から電力を供給するステップと、
上記カードが前記カード決済装置上の所定の位置に配置された状態にて、ＩＤ情報を記憶するカードから当該ＩＤ情報を取り出し、上記ＩＤ情報の照合動作を行うステップと、
上記照合が一致した場合、前記決済電源部が前記決済部へ電力を供給するステップと、を有することを特徴とするカード決済方法。
【請求項８】
上記カードは、上記ＩＤ情報を記憶するＩＤ記憶部を有し、前記リーダライタ部へ周期的に上記ＩＤ情報を送信することを特徴とする請求項１記載のカード決済方法。
【請求項９】
上記カードは、前記決済部により上記決済が実行された後、当該決済情報を格納する決済情報記憶部を有し、更に、上記決済情報を前記ＲＦＩＤリーダライタ部により上記カードの決済情報記憶部に格納させるステップを有することを特徴とする請求項１記載のカード決済方法。
【請求項１０】
カードに格納されているカード情報を取り出し、当該取り出したカード情報を情報処理センターに送信し、上記情報処理センターから受信した認証情報に従って上記カードによる決済を行うカード決済装置であって、上記カード情報による決済を実行する決済部と、当該決済部に電力を供給する決済電源部と、を備えるカード決済装置において、
ＩＤ情報を記憶するカードから当該ＩＤ情報を取り出し、上記ＩＤ情報の照合動作を行うステップと、
上記照合が一致した後に、前記決済部への電力供給を一旦開始するステップと、
その後の所定時間内にて当該ＩＤ情報を取り出し、上記ＩＤ情報の照合動作を繰り返すステップと、
上記照合が所定回数不一致の場合、前記決済部へ電力を供給することを停止させるステップと、を備えることを特徴とするカード決済方法。
【請求項１１】
上記カードは、上記ＩＤ情報を記憶するＩＤ記憶部を有し、前記リーダライタ部へ周期的に上記ＩＤ情報を送信することを特徴とする請求項１０記載のカード決済方法。
【請求項１２】
上記カードは、前記決済部により上記決済が実行された後、当該決済情報を格納する決済情報記憶部を有し、更に、上記決済情報を前記リーダライタ部により上記カードの決済情報記憶部に格納させる決済処理部を有することを特徴とする請求項１０記載のカード決済方法。
【発明の詳細な説明】
【技術分野】
【０００１】
本発明は、クレジットカード等のカードに格納されている情報を取得し、認証情報により上記カードによる決済を行うカード決済装置及びその方法に関する。
【背景技術】
【０００２】
個人が所有するクレジットカード、デビットカード等のカードには、他人に知られては困る情報が格納されている。そのため、カード所有者はカードに格納された情報がカード所有者の意図する者以外の者に知られないように注意して使用している。さらに、カード所有者は細心の注意を払って他人によりカードが不正に使用されるのを防止している。最近では、カード決済を行う店舗にて、カード決済装置を改造してスキミング装置、すなわち、読み取ったカード情報を蓄え、その後にその情報に基づいて偽造カードを作る等の犯罪も発生している。このため、カード所有者は、店舗等においてカードで決済を行う場合に、決済の処理を行う店員のカード決済者としての信頼度を自ら判断し、かつ、注意を払った上でカードによる決済を行う必要があった。
【０００３】
これに対する先行技術として、（特許文献１）がある。図９は、従来のカード決済装置の機能構成を示す図である。従来のカード決済装置９０１は、指紋パターンを入力する指紋パターン入力部９０３と、上記カード決済装置９０１の使用が許可された者の指紋パターンを記憶（登録）している登録指紋パターン記憶部９０４と、上記指紋パターン入力部９０３により入力された指紋パターンが上記登録指紋パターン記憶部９０４に登録されているかどうかの照合を行う指紋照合部９０５と、カード情報を入力するカード情報入力部９０８と、上記カード情報入力部９０８によるカード入力動作を制御する入力動作制御部９０６と、上記カード情報入力部９０８により入力されたカード情報を送信するカード情報送信部９０７と、上記カード情報送信部９０７により送信されたカード情報に基づいて上記カードの認証処理を行いその認証結果を送信する情報処理センター９０２と、上記情報処理センター９０２により送信された認証情報を受信する認証情報受信部９１０と、上記認証情報受信部９１０で受信した認証情報及び上記カード情報入力部９０８により入力された金額、支払い方法等に基づいて決済処理を行う決済処理部９１１を備える構成である。
【０００４】
以上のように構成されたカード決済装置９０１において、クレジットカードによる決済を行うために上記カード決済装置９０１を操作する者（以下、装置操作者とする）は、上記指紋パターン入力部９０３より装置操作者の指紋パターンを入力し、上記指紋照合部９０５において上記装置操作者の指紋パターンが上記登録指紋パターン記憶部９０４に登録されているかどうかの照合が行われ、登録されていれば、上記入力動作制御部９０６が上記カード情報入力部９０８からのクレジットカードの情報入力を有効として、上記クレジットカードからの認証情報や、金額等の情報が入力可能となり、クレジットカードを用いた決済を行うことができるようになる。このようにして、従来のカード決済装置９０１はカード決済時のセキュリティを高めている。
【特許文献１】特開２００１−１７５７１２号公報
【発明の開示】
【発明が解決しようとする課題】
【０００５】
しかしながら、カード決済装置には、カード決済時のセキュリティだけでなく、当該装置が盗難にあった場合にもカード決済装置が偽造されないようにセキュリティを高めておく必要がある。さて、カード決済装置を偽造するためには、内蔵されている回路の解析やプログラムの解析が必要である。従来のカード決済装置では、誰でも電源投入ができ、指紋パターン認証を行う前に、プログラムが格納されているフラッシュＲＯＭ等にアクセスが行われ、カード決済装置のプログラムの実行が開始してしまう。従って、従来のカード決済装置では、誰でも、実際に動作させた状態での回路解析や、プログラム解析ができるので、偽造カード決済装置が製作される可能性が高くなるという課題が発生する。
【０００６】
そこで、本発明では、通常の使用時及び盗難時にもセキュリティを向上させることにより、偽造のカード決済装置が製作されないカード決済装置及びその方法を提供することを目的とする。
【課題を解決するための手段】
【０００７】
このような課題を解決するために、第１の発明においては、カードに格納されているカード情報を取り出し、当該取り出したカード情報を情報処理センターに送信し、上記情報処理センターから受信した認証情報に従って上記カードによる決済を実行するカード決済装置において、所定のＩＤ情報を記憶するカードから当該ＩＤ情報を取り出すリーダライタ部と、前記リーダライタ部に電力を供給するリーダライタ電源部と、上記カード情報による上記決済を実行する決済部と、前記決済部に電力を供給する決済電源部と、前記リーダライタ電源部のための電源スイッチと、所定のＩＤ情報を記憶する起動用ＩＤ記憶部と、上記取り出されたＩＤ情報を前記起動用ＩＤ記憶手段に格納されている上記ＩＤ情報と照合するＩＤ照合部と、上記照合された結果に基づいて前記決済電源部の制御を行う決済電源制御部と、を備え、前記電源スイッチの作動により前記リーダライタ電源部は前記リーダライタ部に電力を供給し、前記ＩＤ照合部が上記照合を実行して当該照合が一致した場合に、前記決済電源制御部は、前記決済電源部に前記決済部へ電力を供給させるように構成した。
【０００８】
また、第２の発明では、カードに格納されているカード情報を取り出し、当該取り出したカード情報を情報処理センターに送信し、上記情報処理センターから受信した認証情報に従って上記カードによる決済を実行するカード決済装置において、所定のＩＤ情報を記憶するカードから当該ＩＤ情報を取り出すリーダライタ部と、前記リーダライタ部に電力を供給するリーダライタ電源部と、上記カード情報による上記決済を実行する決済部と、所定のＩＤ情報を記憶する起動用ＩＤ記憶部と、上記取り出されたＩＤ情報を前記起動用ＩＤ記憶手段に格納されているＩＤ情報と照合するＩＤ照合部と、上記照合された結果に基づいて前記決済電源部の制御を行う決済電源制御部と、前記決済部に電力を供給する決済電源部と、を備え、前記ＩＤ照合部による照合が一致した状態にて、前記決済電源制御部は、前記決済電源部から前記決済部への電力供給を一旦開始し、かつ、前記ＩＤ照合部が周期的に上記ＩＤ情報の照合動作を繰り返し、所定時間内にて上記照合が所定回数不一致の場合、前記決済電源制御部は、前記決済電源部に前記決済部へ電力を供給させることを停止させるように構成した。
【０００９】
また、第３の発明では、カードに格納されているカード情報を取り出し、当該取り出したカード情報を情報処理センターに送信し、上記情報処理センターから受信した認証情報に従って上記カードによる決済を行うカード決済装置であって、上記カードから情報を読み取るリーダライタ部と、当該リーダライタ部に電力を供給するリーダライタ電源部と、当該リーダライタ電源部のための電源スイッチ部と、上記カード情報による決済を実行する決済部と、当該決済部に電力を供給する決済電源部と、を備えるカード決済装置において、前記電源スイッチの作動により前記リーダライタ部に前記リーダライタ電源部から電力を供給するステップと、上記カードが前記カード決済装置上の所定の位置に配置された状態にて、ＩＤ情報を記憶するカードから当該ＩＤ情報を取り出し、上記ＩＤ情報の照合動作を行うステップと、上記照合が一致した場合、前記決済電源部が前記決済部へ電力を供給するステップと、を有するように構成した。
【００１０】
また、第４の発明では、カードに格納されているカード情報を取り出し、当該取り出したカード情報を情報処理センターに送信し、上記情報処理センターから受信した認証情報に従って上記カードによる決済を行うカード決済装置であって、上記カード情報による決済を実行する決済部と、当該決済部に電力を供給する決済電源部と、を備えるカード決済装置において、ＩＤ情報を記憶するカードから当該ＩＤ情報を取り出し、上記ＩＤ情報の照合動作を行うステップと、上記照合が一致した後に、前記決済部への電力供給を一旦開始するステップと、その後の所定時間内にて当該ＩＤ情報を取り出し、上記ＩＤ情報の照合動作を繰り返すステップと、上記照合が所定回数不一致の場合、前記決済部へ電力を供給することを停止させるステップと、を備えるように構成した。
【発明の効果】
【００１１】
以上のように、カード決済装置の起動するための許可をもたない装置操作者は、カード決済装置の起動もできないため、盗難時にも回路解析やプログラム解析が困難となり、カード決済装置の偽造も困難とすることができる。
【発明を実施するための最良の形態】
【００１２】
本発明における請求項１の発明では、カードに格納されているカード情報を取り出し、当該取り出したカード情報を情報処理センターに送信し、上記情報処理センターから受信した認証情報に従って上記カードによる決済を実行するカード決済装置において、所定のＩＤ情報を記憶するカードから当該ＩＤ情報を取り出すリーダライタ部と、前記リーダライタ部に電力を供給するリーダライタ電源部と、上記カード情報による上記決済を実行する決済部と、前記決済部に電力を供給する決済電源部と、前記リーダライタ電源部のための電源スイッチと、所定のＩＤ情報を記憶する起動用ＩＤ記憶部と、上記取り出されたＩＤ情報を前記起動用ＩＤ記憶手段に格納されている上記ＩＤ情報と照合するＩＤ照合部と、上記照合された結果に基づいて前記決済電源部の制御を行う決済電源制御部と、を備え、前記電源スイッチの動作により前記リーダライタ電源部は前記リーダライタ部に電力を供給し、前記ＩＤ照合部が上記照合を実行して当該照合が一致した場合に、前記決済電源制御部は、前記決済電源部に前記決済部へ電力を供給させるように構成した。
【００１３】
この構成により、ＩＤ情報の照合動作にて上記照合が一致の場合、上記決済電源制御部は、上記決済電源部が前記決済部へ初めて電力を供給するために、極めて高いセキュリティ効果を生む。
【００１４】
請求項２の発明では、上記カードは、上記ＩＤ情報を記憶するＩＤ記憶部を有し、前記ＲＦＩＤリーダライタ部へ周期的に上記ＩＤ情報を送信するように構成してある。この構成により、装置側は、周期的に受信したＩＤ情報を読み取ることができ、確実にＩＤ情報を取得することができる。
【００１５】
請求項３の発明では、上記カードは、前記決済部により上記決済が実行された後に当該決済情報を格納する決済情報記憶部を有し、更に、上記決済情報を前記ＲＦＩＤリーダライタ部により上記カードの決済情報記憶部に格納させる決済処理部を有するように構成した。この構成により、決済後の決済情報を確実にカード側に格納することができる。
【００１６】
請求項４の発明では、カードに格納されているカード情報を取り出し、当該取り出したカード情報を情報処理センターに送信し、上記情報処理センターから受信した認証情報に従って上記カードによる決済を実行するカード決済装置において、所定のＩＤ情報を記憶するカードから当該ＩＤ情報を取り出すリーダライタ部と、前記リーダライタ部に電力を供給するリーダライタ電源部と、上記カード情報による上記決済を実行する決済部と、所定のＩＤ情報を記憶する起動用ＩＤ記憶部と、上記取り出されたＩＤ情報を前記起動用ＩＤ記憶手段に格納されている上記ＩＤ情報と照合するＩＤ照合部と、上記照合された結果に基づいて前記決済電源部の制御を行う決済電源制御部と、前記決済部に電力を供給する決済電源部と、を備え、前記ＩＤ照合部による照合が一致した状態にて、前記決済電源制御部は、前記決済電源部から前記決済部への電力供給を一旦開始し、かつ、前記ＩＤ照合部が周期的に上記ＩＤ情報の照合動作を繰り返し、所定時間内にて上記照合が所定回数不一致の場合、前記決済電源制御部は、前記決済電源部に前記決済部へ電力を供給させることを停止させるように構成した。この構成により、ＩＤ照合部による照合が一致した後に、決済電源制御部は、決済電源部への電力供給を一旦開始する為に、その後、決済電源部が決済部へ電力を即座に供給することができ、更に、所定時間内にて上記照合が所定回数不一致の場合、決済電源制御部は、決済電源部が前記決済部へ電力を供給することを停止させることにより、決済部の決済処理ができなくなり、極めて高いセキュリティ効果を生む。
【００１７】
請求項５の発明では、上記カードは、上記ＩＤ情報を記憶するＩＤ記憶部を有し、前記ＲＦＩＤリーダライタ部へ周期的に上記ＩＤ情報を送信するように構成した。この構成により、装置側は、周期的に受信したＩＤ情報を読み取ることができ、確実にＩＤ情報を取得することができる。
【００１８】
請求項６の発明では、上記カードは、前記決済部により上記決済が実行された後、当該決済情報を格納する決済情報記憶部を有し、更に、上記決済情報を前記ＲＦＩＤリーダライタ部により上記カードの決済情報記憶部に格納させる決済処理部を有するように構成した。この構成により、決済後の決済情報を確実にカード側に格納することができる。
【００１９】
請求項７の発明では、カードに格納されているカード情報を取り出し、当該取り出したカード情報を情報処理センターに送信し、上記情報処理センターから受信した認証情報に従って上記カードによる決済を行うカード決済装置であって、上記カードから情報を読み取るリーダライタ部と、当該リーダライタ部に電力を供給するリーダライタ電源部と、当該リーダライタ電源部のための電源スイッチ部と、上記カード情報による決済を実行する決済部と、当該決済部に電力を供給する決済電源部と、を備えるカード決済装置において、前記電源スイッチの作動により前記リーダライタ部に前記リーダライタ電源部から電力を供給するステップと、上記カードが前記カード決済装置上の所定の位置に配置された状態にて、ＩＤ情報を記憶するカードから当該ＩＤ情報を取り出し、上記ＩＤ情報の照合動作を行うステップと、上記照合が一致した場合、前記決済電源部が前記決済部へ電力を供給するステップと、を有するように構成した。この構成により、カードから確実にカード情報を取得し、所定時間内にて上記照合が不一致の場合、前記決済電源制御部は、前記決済電源部が前記決済部へ電力を供給することができず、決済部の決済処理ができない状態が続き、極めて高いセキュリティ効果を生む。
【００２０】
請求項８の発明では、上記カードは、上記ＩＤ情報を記憶するＩＤ記憶部を有し、前記ＲＦＩＤリーダライタ部へ周期的に上記ＩＤ情報を送信するように構成した。この構成により、装置側は、周期的に受信したＩＤ情報を読み取ることができ、確実にＩＤ情報を取得することができる。
【００２１】
請求項９の発明では、上記カードは、前記決済部により上記決済が実行された後、当該決済情報を格納する決済情報記憶部を有し、更に、上記決済情報を前記ＲＦＩＤリーダライタ部により上記カードの決済情報記憶部に格納させるステップを有するように構成した。この構成により、決済後の決済情報を確実にカード側に格納することができる。
【００２２】
請求項１０の発明では、カードに格納されているカード情報を取り出し、当該取り出したカード情報を情報処理センターに送信し、上記情報処理センターから受信した認証情報に従って上記カードによる決済を行うカード決済装置であって、上記カード情報による決済を実行する決済部と、当該決済部に電力を供給する決済電源部と、を備えるカード決済装置において、ＩＤ情報を記憶するカードから当該カードに接触せずに当該ＩＤ情報を取り出し、上記ＩＤ情報の照合動作を行うステップと、上記照合が一致した後に、前記決済部への電力供給を一旦開始するステップと、その後の所定時間内にて当該ＩＤ情報を取り出し、上記ＩＤ情報の照合動作を繰り返すステップと、上記照合が所定回数不一致の場合、前記決済部へ電力を供給することを停止させるステップと、を備えるように構成した。この構成により、ＩＤ照合部による照合が一致した後に、決済電源制御部は、決済電源部に前記決済部への電力供給を一旦開始する為に、その後、決済電源部が決済部へ電力を即座に供給することができ、更に、所定時間内にて上記照合が所定回数不一致の場合、決済電源制御部は、決済電源部が前記決済部へ電力を供給することを停止させることにより、決済部の決済処理ができなくなり、極めて高いセキュリティ効果を生む。
【００２３】
請求項１１の発明では、上記カードは、上記ＩＤ情報を記憶するＩＤ記憶部を有し、前記ＲＦＩＤリーダライタ部へ周期的に上記ＩＤ情報を送信するように構成した。この構成により、装置側は、周期的に受信したＩＤ情報を読み取ることができ、確実にＩＤ情報を取得することができる。
【００２４】
請求項１２の発明では、上記カードは、前記決済部により上記決済が実行された後、当該決済情報を格納する決済情報記憶部を有し、更に、上記決済情報を前記ＲＦＩＤリーダライタ部により上記カードの決済情報記憶部に格納させる決済処理部を有するように構成した。この構成により、決済後の決済情報を確実にカード側に格納することができる。
【００２５】
（実施の形態１）
以下、本発明の実施の形態１を図面に沿って説明する。
【００２６】
図１は、本発明の実施の形態１のカード決済装置における全体外観図である。図１に示すように、実施の形態１のカード決済装置１０１は、ＲＦＩＤカード１０２と、上記ＲＦＩＤカード１０２のＩＤ情報を読み取るＲＦＩＤリーダライタユニット１０３と、カード情報を読み取るカードリーダユニット１０５と、ＩＤ情報の照合の結果に関する情報及びカードによる決済の結果情報等を表示する表示ユニット１０６と、料金及び支払方法等を入力する入力ユニット１０７と、カード売上票またはカードによる決済の結果情報等の印刷を行うプリンタユニット１０４を備えている。
【００２７】
本実施の形態１において、ＲＦＩＤカード１０２は、図１に示すように、上記ＲＦＩＤリーダライタユニット１０３に乗せるような状態で使用するものとし、上記ＲＦＩＤカード１０２は、上記ＲＦＩＤリーダライタユニット１０３に手動で挿入して使用し、排出するときも手動で行う。勿論、ＲＦＩＤカード１０２の挿入や排出を自動で行うようにすることも可能である。
【００２８】
図８は、本発明の実施の形態１におけるカード決済装置の決済システムの一例を示す図である。図８に示すように、決済システムは、カード決済装置１０１のほか、情報処理センター８０１と、ネットワーク８０２と、カード会社８０３を含むものから構成される。カード決済装置１０１と情報処理センター８０１とは、カード決済に必要な情報の交換を行い、さらに、情報処理センター８０１は、ネットワーク８０２を介して、各カード会社８０３に接続されており、各カード会社８０３のホストコンピュータとオンラインによるアクセスが可能である。
【００２９】
つぎに、カード決済装置１０１のハードウェア構成について説明する。図７は、本発明の実施の形態１のカード決済装置における回路構成ブロック図である。図７に示すように、本発明のカード決済装置１０１は、決済ユニット７０１とＲＦＩＤユニット７１２の２つの独立したユニットから構成され、決済ユニット７０１は、決済ユニット７０１全体の処理を制御するＣＰＵ７０３と、クレジットカード等のカード情報を読み取るカードリーダユニット１０５と、料金及び支払方法等を入力する入力ユニット１０７と、カード売上票またはカードによる決済の結果情報等の印刷を行うプリンタユニット１０４と、ＩＤ情報の照合の結果に関する情報及びカードによる決済の結果情報等を表示する表示ユニット１０６と、カード決済を行うためのプログラムを格納しているＲＯＭ７１１と、上記ＣＰＵ７０３のワークエリアとして使用されるＤＲＡＭ等のＲＡＭ７０９と、カードによる決済の結果情報等を記録するフラッシュＲＯＭ７１０と、決済ユニット７０１へ電源を供給する決済ユニット電源回路７０５から構成される。
【００３０】
ＲＦＩＤユニット７１２は、上記ＲＦＩＤユニット７１２全体の処理を制御するＣＰＵ７０２と、ＲＦＩＤカードよりＩＤ情報を入力してＩＤ照合を行うこと及びカードによる決済の結果情報をＲＦＩＤカードへ送信するＲＦＩＤリーダライタユニット１０３と、ＲＦＩＤカードとのＩＤ認証を行うためのプログラムを格納しているＲＯＭ７０８と、上記ＣＰＵ７０２のワークエリアとして使用されるＤＲＡＭ若しくはＳＲＡＭ等のＲＡＭ７０６と、カード決済装置の電源起動用ＩＤを記録するフラッシュＲＯＭ７０７と、上記ＲＦＩＤユニット７１２へ電源を供給するＲＦＩＤユニット電源回路７０４から構成される。
【００３１】
図７に示すように、ＲＦＩＤユニット７１２にだけ電源が供給されて、ＣＰＵ７０２がＲＦＩＤカード１０２とのＩＤ認証を行うためのプログラムをアクセスしても、決済ユニット７０１は、ＲＦＩＤユニット７１２から完全に独立したハードウェア構成としているため、ＣＰＵ７０１がカード決済を行うためのプログラムをＲＯＭ７１１へアクセスすることはない。
【００３２】
つぎに、カード決済装置１０１の機能的構成について説明する。図２は、本発明の実施の形態１のカード決済装置における機能構成ブロック図である。図２に示すように、本実施の形態のカード決済装置１０１は、装置操作者のＩＤを記憶しているＩＤ記憶部２０３と、カード決済に関する情報を記憶する決済情報記憶部２０４を備えるＲＦＩＤカード１０２と、決済部２２３として、クレジットカード等のカードに格納されている情報を入力するカード情報入力部２１８と、上記カード情報入力部２１８により入力されたカード情報を情報処理センター２２４に送信するカード情報送信部２１５と、上記カード情報送信部２１５による上記カード情報の送信に基づく上記情報処理センター２２４からの認証情報を受信する認証情報受信部２１６と、上記認証情報受信部２１６からの認証情報及び上記カード情報入力部２１８から入力された料金、支払方法に基づいて決済処理を行う決済処理部２１７と、上記決済処理部２１７からのカード決済に関する情報を表示する表示部２１９と、上記決済処理部２１７からのカード決済に関する情報を記憶するカード決済情報記憶部２２０を備える。
【００３３】
ＲＦＩＤ部２２２として、カード決済装置１０１の電源を起動することが許可されたＩＤを記憶する起動用ＩＤ記憶部２０６と、ＲＦＩＤカード１０２よりＩＤ情報を入力すること及びカードによる決済の結果情報をＲＦＩＤカード１０２へ送信するＲＦＩＤリーダライタ部（リーダライタ部）２０５と、ＲＦＩＤリーダライタ部２０５により入力されたＩＤ情報を上記起動用ＩＤ記憶部２０６に登録されているＩＤと照合するＩＤ照合部２０７と、ＩＤ照合部２０７により照合された結果に基づいてカード決済装置１０１の電源制御を行う決済電源制御部２０８を備える。
【００３４】
また、電源部２２１として、電源スイッチ２１３と、カード決済装置１０１の各部へ電源を供給する主電源部２１４と、決済部２２３へ電源を供給する決済電源部２１０と、ＲＦＩＤ部２２２へ電源を供給するＲＦＩＤ電源部２１２と、電源スイッチ２１３の入切に基づいて上記ＲＦＩＤ部２２２への電源供給の入切を行うＲＦＩＤ電源入切部（リーダライタ電源入切部）２１１と、決済電源制御部２０８からの制御信号に基づいて決済部２２３への電源供給の入切を行う決済電源入切部２０９を備える。
【００３５】
ＲＦＩＤ電源入切部２１１は、電源スイッチ２１３が入のときＲＦＩＤ電源部（リーダライタ電源部）２１２を「入」にしてＲＦＩＤ部２２２へ電源供給を開始させ、電源スイッチ２１３が切のときＲＦＩＤ電源部２１２を「切」にしてＲＦＩＤ部２２２への電源供給を停止させる。そして、ＲＦＩＤ部２２２への電源供給が開始されることで、図７におけるＣＰＵ７０２がＲＯＭ７０８へのアクセスを開始して、ＲＦＩＤユニット７１２のプログラムの動作も開始する。決済電源制御部２０８は、ＩＤ照合部２０７においてＲＦＩＤカードより入力されたＩＤと起動用ＩＤとして予め登録されていたＩＤが一致したとき決済電源部２１０を入にするための制御信号を発生させ、ＩＤが一致しないとき決済電源部２１０を切にするための制御信号を発生させる。
【００３６】
決済電源入切部２０９は、決済電源制御部２０８で決済電源部２１０を入にするために発生した制御信号により、決済電源部２１０を「入」にして決済部２２３へ電源供給を開始させ、決済電源制御部２０８で決済電源部２１０を切にするために発生した制御信号により、決済電源部２１０を「切」にして決済部２２３への電源供給を停止させる。そして、決済部２２３への電源供給が開始されることで、図７におけるＣＰＵ７０３がＲＯＭ７１１へのアクセスを開始して、決済ユニット７０１のプログラムの動作も開始する。
【００３７】
この構成により、カード決済装置１０１の電源起動を許可されたＩＤが記憶されているＲＦＩＤカード１０２を所有している者だけが、カード決済装置１０１の電源起動を行うことができ、かつ、決済ユニット７０１のプログラムを動作させることができるので、もしカード決済装置が盗難にあったとしても、カード決済装置の電源起動とプログラムも動作しないため、回路分析やプログラム分析を行うことを困難とすることができる。
【００３８】
ＲＦＩＤリーダライタ部２０５は、ＲＦＩＤカード２０２よりＩＤ情報を入力するだけでなく、決済処理部２１７で行ったカードによる決済の結果情報を上記ＲＦＩＤカード２０２へ送信する機能も備える。ＲＦＩＤカード１０２においては、ＲＦＩＤリーダライタ部２０５から送信されたカードによる決済の結果情報を決済情報記憶部２０４に記憶する。これにより、カード決済装置１０１による決済の結果情報、例えば決済日時やカードによる決済回数などをＲＦＩＤカード１０２に記憶させておくことができ、後日、カードによる決済の結果情報の履歴を調べるときに、ＲＦＩＤカード１０２を使用することができる。
【００３９】
つぎに、実施の形態１のカード決済装置における処理動作について説明する。図３は、本発明の実施の形態１のカード決済装置における処理の手順を示すフローチャートである。図３に示すように、まず、電源スイッチ２１３を入にすると（ステップＳ３０１）、ＲＦＩＤ電源部２１２が「入」となり（ステップＳ３０２）、ＲＦＩＤカード１０２が挿入されるのを待つ（ステップＳ３０３）。ＲＦＩＤカード１０２の挿入が完了した場合（ステップＳ３０３肯定）は、ＲＦＩＤカード１０２からＩＤ情報を入力し（ステップＳ３０４）、入力されたＩＤが、起動用ＩＤとして予め登録されているＩＤと一致するか否かを判断する（ステップＳ３０５）。ステップＳ３０５において、入力されたＩＤが起動用ＩＤとして登録されたＩＤと一致しない場合（ステップＳ３０５否定）は、別のＲＦＩＤカード１０２の挿入を待つべくステップＳ３０３へ移行する。
【００４０】
一方、ステップＳ３０５において、入力されたＩＤが起動用ＩＤとして登録されたＩＤと一致した場合（ステップＳ３０５肯定）は、決済電源部２１０が「入」となり（ステップＳ３０６）、カード情報入力部２１８が入力待ち状態となる（ステップＳ３０７）。カード情報の入力が完了した場合（ステップＳ３０７肯定）は、カード情報入力部２１８はカード情報送信部２１５へ送り、上記カード情報送信部２１５は上記カード情報を情報処理センター２２４へ送信する（ステップＳ３０８）。
【００４１】
情報処理センター２２４は、カード情報送信部２１５により送信されたカード情報等に基づいてカードの認証処理を行い、認証情報を認証情報受信部２１６に送信する（ステップＳ３０９）。認証情報受信部２１６は情報処理センター２２４が送信した認証情報を受信する（ステップＳ３１０）。認証情報受信部２１６は、認証情報を決済処理部２１７へ送り、上記決済処理部２１７は認証情報に基づいてカードによる決済を行う（ステップＳ３１１）。
【００４２】
決済処理部２１７はカードによる決済の結果を表示部２１９に送り、表示部２１９はカードによる決済の結果を表示する（ステップＳ３１２）。また、決済処理部２１７は上記カードによる決済の結果を図１に示すプリンタユニット１０４からカード売上票として印刷し（ステップＳ３１３）、カードによる決済の結果をカード決済情報記憶部２２０に記憶する（ステップＳ３１４）。
【００４３】
さらに、決済処理部２１７はカードによる決済の結果をＲＦＩＤリーダライタ部２０５へ送り、上記ＲＦＩＤリーダライタ部２０５は上記決済の結果をＲＦＩＤカード１０２へ送信し（ステップＳ３１５）、ＲＦＩＤカード１０２は受信した決済の結果を決済情報記憶部２０４に記憶する（ステップＳ３１６）。そして、カード情報送信部２１５は情報処理センター２２４へ上記カードによる決済の結果を送信し（ステップＳ３１７）、ＲＦＩＤカード１０２を排出する（ステップＳ３１８）ことですべての処理を終了する。ここで、引き続きカード決済を行う場合には、ＲＦＩＤカード１０２を排出することなく、継続してカード決済を行うことも可能である。
【００４４】
以上説明したように、本実施の形態１によれば、カード決済装置の電源起動を許可されたＩＤを記憶したＲＦＩＤカードを所有している者だけが、カード決済装置の電源起動をすることができる。
【００４５】
（実施の形態２）
実施の形態２におけるカード決済装置４０１の全体外観図、カード決済装置４０１を含んだ決済システムの一例及びカード決済装置４０１のハードウェア構成を示す図は実施の形態１と同様であるので、その説明は省略する。実施の形態２におけるカード決済装置４０１の機能的構成について説明する。図４は、本発明の実施の形態２のカード決済装置における機能構成を示す図である。なお、図４において、実施の形態１の構成と同様のものについては、同一の符号を付してその説明を省略する。図４に示すように、本発明のカード決済装置４０１は、ＲＦＩＤ部４２２として、ある決められた時間を計測するタイマ部４２５と、ＲＦＩＤカード２０２との認証に失敗した回数を計測する認証失敗カウント部４２６と、上記タイマ部４２５に基づきＲＦＩＤカード１０２よりＩＤ情報を入力すること及びカードによる決済の結果情報をＲＦＩＤカード１０２へ送信するＲＦＩＤリーダライタ部（リーダライタ部）４０５と、ＩＤ照合部２０７により照合された結果及び上記認証失敗カウント部４２６でカウントされた回数に基づいてカード決済装置４０１の電源制御を行う決済電源制御部４０８を備える。
【００４６】
タイマ部４２５は、ある決められた時間（例えば５秒間など）を計測し、さらに上記決められた時間ごとに、ＲＦＩＤリーダライタ部４０５に対してＲＦＩＤカード１０２からＩＤ情報を取り出し入力させる制御信号を発生させる。ＲＦＩＤリーダライタ部４０５は、決済処理部２１７で行ったカードによる決済の結果情報を上記ＲＦＩＤカード１０２へ送信すること及び上記タイマ部４２５によりある決められた時間ごとに発生する制御信号に基づきＲＦＩＤカード２０２からＩＤ情報を取り出し入力する。これにより、ある決められた時間ごとに、ＲＦＩＤカード１０２のＩＤ情報と起動用ＩＤとして予め登録されているＩＤとの照合をＩＤ照合部２０７にて行うことができる。
【００４７】
認証失敗カウント部４２６は、ＩＤ照合部２０７においてＲＦＩＤカード２０２より入力されたＩＤと起動用ＩＤ記憶部に予め登録されていたＩＤが一致しないとき認証失敗回数をカウントアップし、一致したとき認証失敗回数を零にクリアする。決済電源制御部４０８は、ＩＤ照合部２０７においてＲＦＩＤカード１０２より入力されたＩＤと予め登録されていたＩＤが一致したとき決済電源部２１０を入にするための制御信号を発生させ、認証失敗カウント部４２６の認証失敗回数がある決められた数値（たとえば２回など）を超えたとき決済電源部２１０を切にするための制御信号を発生させる。
【００４８】
これにより、ＩＤ照合部２０７で、ＲＦＩＤカード１０２のＩＤ情報と起動用ＩＤとして予め登録されているＩＤとの認証が、ある決められた回数連続して失敗したときに、決済電源部２１０を切にすることができる。
【００４９】
つぎに、実施の形態２のカード決済装置における処理動作について説明する。図５は、本発明の実施の形態２のカード決済装置における処理の手順を示すフローチャートである。図５に示すように、まず、電源スイッチ２１３を入にすると（ステップＳ５０１）、ＲＦＩＤ電源部２１２が入となり（ステップＳ５０２）、ＲＦＩＤカード１０２が挿入されるのを待つ（ステップＳ５０３）。ＲＦＩＤカード１０２の挿入が完了した場合（ステップＳ５０３肯定）は、ＲＦＩＤカード１０２からＩＤ情報を入力し（ステップＳ５０４）、入力されたＩＤが、起動用ＩＤとして予め登録されているＩＤと一致するか否かを判断する（ステップＳ５０５）。
【００５０】
ステップＳ５０５において、入力されたＩＤが起動用ＩＤとして登録されたＩＤと一致しない場合（ステップＳ５０５否定）は、別のＲＦＩＤカード２０２の挿入を待つべくステップＳ５０３へ移行する。一方ステップＳ５０５において、入力されたＩＤが起動用ＩＤとして登録されたＩＤと一致した場合（ステップＳ５０５肯定）は、決済電源部２１０が入となり（ステップＳ５０６）、タイマ部４２５の計測がスタートする（ステップＳ５０７）。
【００５１】
タイマ部４２５がある決められた時間の計測が完了すると（ステップＳ５０８）、ＲＦＩＤカード１０２よりＩＤ情報を入力し（ステップＳ５０９）、入力されたＩＤが、起動用ＩＤとして予め登録されているＩＤと一致するか否かを判断する（ステップＳ５１０）。ステップＳ５１０において、入力されたＩＤが起動用ＩＤとして登録されたＩＤと一致しない場合（ステップＳ５１０否定）は、認証失敗回数をカウントアップし（ステップＳ５１１）、さらに認証失敗回数がある決められた数値を超えたか否かを判断し（ステップＳ５１２）、ステップＳ５１２において認証失敗回数が上記数値を超えていなければ（ステップＳ５１２否定）、タイマ部４２５が次回のある決められた時間の計測が完了するのを待つべくステップＳ５０８へ移行し、ステップＳ５１２において認証失敗回数が上記数値を超えていた場合（ステップＳ５１２肯定）は、決済電源部２１２を切とし（ステップＳ５１３）、別のＲＦＩＤカード１０２の挿入を待つべくステップＳ５０３へ移行する。
【００５２】
ステップＳ５１０において、入力したＩＤが登録されたＩＤと一致した場合（ステップＳ５１０肯定）は、認証失敗回数を零にクリアし（ステップＳ５１４）、カード情報入力部２１８が入力待ち状態となる（ステップＳ５１５）。カード情報の入力が完了した場合（ステップＳ５１５肯定）は、カード情報入力部２１８はカード情報送信部２１５へ送り、上記カード情報送信部２１５は上記カード情報を情報処理センター２２４へ送信する（ステップＳ５１６）。情報処理センター２２４は、カード情報送信部２１５により送信されたカード情報等に基づいてカードの認証処理を行い、認証情報を認証情報受信部２１６に送信する（ステップＳ５１７）。認証情報受信部２１６は情報処理センター２２４が送信した認証情報を受信する（ステップＳ５１８）。
【００５３】
認証情報受信部２１６は、認証情報を決済処理部２１７へ送り、上記決済処理部２１７は認証情報に基づいてカードによる決済を行う（ステップＳ５１９）。決済処理部２１７はカードによる決済の結果を表示部２１９に送り、表示部２１９はカードによる決済の結果を表示する（ステップＳ５２０）。また、決済処理部２１７は上記カードによる決済の結果を図１に示すプリンタユニット１０４からカード売上票として印刷し（ステップＳ５２１）、カードによる決済の結果をカード決済情報記憶部２２０に記憶する（ステップＳ５２２）。さらに、決済処理部２１７はカードによる決済の結果をＲＦＩＤリーダライタ部４０５へ送り、上記ＲＦＩＤリーダライタ部４０５は上記決済の結果をＲＦＩＤカード１０２へ送信し（ステップＳ５２３）、ＲＦＩＤカード２０２は受信した決済の結果を決済情報記憶部２０４に記憶する（ステップＳ５２４）。
【００５４】
そして、カード情報送信部２１５は情報処理センター２２４へ上記カードによる決済の結果を送信し（ステップＳ５２５）、ＲＦＩＤカード２０２を排出する（ステップＳ５２６）ことですべての処理を終了する。ここで、引き続きカード決済を行う場合には、ＲＦＩＤカード１０２を排出することなく、継続してカード決済を行うことも可能である。
【００５５】
以上説明したように、本実施の形態２によれば、ある決められた時間ごとにＲＦＩＤカード１０２のＩＤ情報と起動用ＩＤとして予め登録されているＩＤとの認証を行い、上記ＩＤ認証がある決められた回数連続して失敗したときに決済電源部２１０を「切」にすることができる。これにより、上記ＩＤ認証が間欠的に失敗する場合には、決済電源部は「入」の状態を継続できるので、不用意な決済電源部の電源断を防ぐことができる。
【００５６】
（実施の形態３）
実施の形態３におけるカード決済装置６０１を含んだ決済システムの一例及びカード決済装置６０１のハードウェア構成を示す図は実施の形態１と同様であり、カード決済装置６０１の機能的構成及びカード決済装置６０１の処理内容は、実施の形態１もしくは実施の形態２と同様であるので、その説明は省略する。図６は実施の形態３のカード決済装置における外観を示す図である。図６において、実施の形態１の外観と同様のものについては、同一の符号を付してその説明を省略する。図６に示すように、図１と異なるのは、ＲＦＩＤリーダライタユニット６０３が、カード決済装置６０１の中に内蔵し、ＲＦＩＤカード１０２の挿入口が、カード決済装置６０１の前面部に設けられている点である。このように、ＲＦＩＤリーダライタユニット６０３をカード決済装置６０１に内蔵することで、ＲＦＩＤカード１０２が悪意者により盗難されることを防止できる。
【産業上の利用可能性】
【００５７】
本発明のカード決済装置及びその方法は、カード決済装置の起動するための許可をもたない装置操作者はカード決済装置の起動もできないため、盗難時にも回路解析やプログラム解析が困難となり、カード決済装置の偽造も困難とすることができ、セキュリティが要求されるカード決済装置には有用である。
【図面の簡単な説明】
【００５８】
【図１】本発明の実施の形態１におけるカード決済装置の全体外観図
【図２】本発明の実施の形態１のカード決済装置における機能構成ブロック図
【図３】本発明の実施の形態１のカード決済装置における処理の手順を示すフローチャート
【図４】本発明の実施の形態２のカード決済装置における機能構成ブロック図
【図５】本発明の実施の形態２のカード決済装置における処理の手順を示すフローチャート
【図６】本発明の実施の形態３のカード決済装置における全体外観図
【図７】本発明の実施の形態１のカード決済装置における回路構成ブロック図
【図８】本発明の実施の形態１におけるカード決済装置の決済システムの一例を示す図
【図９】従来のカード決済装置の機能構成を示す図
【符号の説明】
【００５９】
１０１，４０１，６０１    カード決済装置
１０２    ＲＦＩＤカード
１０３，６０３    ＲＦＩＤリーダライタユニット
１０４    プリンタユニット
１０５    カードリーダユニット
１０６    表示ユニット
２０３    ＩＤ記憶部
２０４    決済情報記憶部
２０６    起動用ＩＤ記憶部
２０７    ＩＤ照合部
２０８    決済電源制御部
２０９    決済電源入切部
２１０    決済電源部
２１１    ＲＦＩＤ電源入切部
２１２    ＲＦＩＤ電源部
４２５    タイマ部
４２６    認証失敗カウント部
【図１】
2009026027.tif 000003
【図２】
2009026027.tif 000004
【図３】
2009026027.tif 000005
【図４】
2009026027.tif 000006
【図５】
2009026027.tif 000007
【図６】
2009026027.tif 000008
【図７】
2009026027.tif 000009
【図８】
2009026027.tif 000010
【図９】
2009026027.tif 000011